(57)【要約】【課題】中温水及び高温水ともに大量もしくは連続的に使用する場合においても、両温度帯の湯の追加沸上げを効率よく行うことができる給湯システムを提供する。【解決手段】給湯システム１は、加熱源３と貯湯タンク２を接続し、加熱された湯を貯湯タンク２の頂部又は中層部に送湯する送湯配管である配管５ｄ、５ｇと、貯湯タンク２の頂部から該頂部に貯留された高温湯を出湯する高温湯出湯配管である配管５ｌと、貯湯タンク２の中層部から該中層部に貯留された中温湯を出湯する中温湯出湯配管である配管５ｈとを備え、加熱源３は、貯湯タンク２の頂部に貯留するための高温沸上用ヒートポンプ３ａと、貯湯タンク２の中層部に貯留するための中温沸上用ヒートポンプ３ｂとを有し、高温沸上用ヒートポンプ３ａと中温沸上用ヒートポンプ３ｂは並列に配置されている。【選択図】図１
2009002585.tif 000002
【特許請求の範囲】
【請求項１】
給水管が底部に連結され、給水と加熱された湯とを貯留する貯湯タンクと、貯湯タンクの底部から送出された水を加熱する加熱源と、加熱源と貯湯タンクを接続し、加熱された湯を貯湯タンクの頂部又は中層部に送湯する送湯配管と、貯湯タンクの頂部から該頂部に貯留された高温湯を出湯する高温湯出湯配管と、貯湯タンクの中層部から該中層部に貯留された中温湯を出湯する中温湯出湯配管とを備えた給湯システムにおいて、加熱源は、貯湯タンクの頂部に貯留するための高温沸上用ヒートポンプと、貯湯タンクの中層部に貯留するための中温沸上用ヒートポンプとを有し、高温沸上用ヒートポンプと中温沸上用ヒートポンプは並列に配置されていることを特徴とする給湯システム。
【請求項２】
中温沸上用ヒートポンプは高温沸上が可能であり、中温沸上用ヒートポンプの沸上の温度を変更する制御部を備えたことを特徴とする請求項１記載の給湯システム。
【発明の詳細な説明】
【技術分野】
【０００１】
本願発明は、高温湯及び中温湯を適宜に出湯することができる給湯システムに関するものである。
【背景技術】
【０００２】
従来から、ヒートポンプにより水を沸かし、貯湯タンクに溜めた湯をカランや食洗機等の湯使用端末に供給する給湯システムがある。貯湯タンクは、ヒートポンプと共に屋外に設置されることが多く、タンクから湯の使用端末までの距離が長く、湯の使用開始時に配管内に残留している湯が置換されるまで待たねばならない（この待ち時間を「湯待ち時間」という）。湯待ち時間なしに、湯を使用することができるようにするために（湯待ち時間なしに湯を使用できるようにすることを「即湯」という）、ホテル等の大規模給湯設備では、配管内の温水を常に循環する方式がとられている。比較的小規模の施設や家庭用途では、即湯ユニットと称する小型の貯湯タンク付ヒータを出湯端の近傍に設置するなどの方法がとられる場合がある。また、業務用途では、食器洗浄用に８０〜９０℃の高温が必要なため、ブースターと称する電気又はガスを熱源とする給湯加熱装置を備えている。しかし、これらの加熱手段は、ヒートポンプ式給湯に比してエネルギーコストが高くなる。
【０００３】
また、貯湯タンク内の湯の温度は、頂部で最も高く、中層部ではそれよりも低くなり、底部では最も低くなる。そこで、エネルギー効率を向上させるために、特開２００６−２３０６４号公報（特許文献１）に示されるような、ヒートポンプ１種だけで中温沸上と高温沸上の切替えを行っている給湯システムの発明が知られている。この給湯システムにおいては、制御装置が、深夜にはヒートポンプで沸き上げた高温の湯を貯湯タンクの上部に貯湯し、昼間にはヒートポンプで沸き上げた中温の湯を貯湯タンク内の中間部に貯湯し、湯の使用時に貯湯タンクから出湯するときには、この中間部の中温の湯から出湯する。したがって、この発明では、貯湯タンク内への貯湯を全て高温の湯で行なう場合よりエネルギー効率を向上することができる。
【特許文献１】特開２００６−２３０６４号公報
【発明の開示】
【発明が解決しようとする課題】
【０００４】
しかし、上記の従来例では、高温沸上または中温沸上のいずれか一方を選択し、高温沸上時は貯湯タンクの頂部に高温水を貯留し、中温沸上時は貯湯タンク中層部に中温水を貯留することとなる。通常、貯湯タンクには上層部に高温水が中層部には中温水を貯留することになるが、ユーザーの湯の使用方法によって貯湯タンク内に残湯量は一定ではなく、残湯量がある一定の量に達した場合には追加で水を加熱して、その加熱温度に応じて貯湯タンク内に頂部もしくは中層部に貯留していく。
【０００５】
例えば、ユーザーの湯の使用量が中温水及び高温水ともに大量もしくは連続的に使用している場合には、両温度帯の湯の追加沸上げが必要となる。しかし、上記従来例では、中温水もしくは高温水のいずれか一方しか沸上げることができないため、貯湯タンク内の湯のバランスが悪くなる場合がある。また、湯切れを防止するためには、高温水の沸上げを優先することになり、中温沸上げより高温沸上げの方がその効率は悪いので消費電力が多くかかるなどの問題がある。
【０００６】
本願発明は、上記背景技術に鑑みて発明されたものであり、その目的は、中温水及び高温水ともに大量もしくは連続的に使用する場合においても、両温度帯の湯の追加沸上げを効率よく行うことができる給湯システムを提供することを課題とするものである。
【課題を解決するための手段】
【０００７】
上記課題を解決するために、本願請求項１記載の発明では、給水管が底部に連結され、給水と加熱された湯とを貯留する貯湯タンクと、貯湯タンクの底部から送出された水を加熱する加熱源と、加熱源と貯湯タンクを接続し、加熱された湯を貯湯タンクの頂部又は中層部に送湯する送湯配管と、貯湯タンクの頂部から該頂部に貯留された高温湯を出湯する高温湯出湯配管と、貯湯タンクの中層部から該中層部に貯留された中温湯を出湯する中温湯出湯配管とを備えた給湯システムにおいて、加熱源は、貯湯タンクの頂部に貯留するための高温沸上用ヒートポンプと、貯湯タンクの中層部に貯留するための中温沸上用ヒートポンプとを有し、高温沸上用ヒートポンプと中温沸上用ヒートポンプは並列に配置されていることを特徴としている。
【０００８】
本願請求項２記載の発明では、上記請求項１記載の給湯システムにおいて、中温沸上用ヒートポンプは高温沸上が可能であり、中温沸上用ヒートポンプの沸上の温度を変更する制御部を備えたことを特徴としている。
【発明の効果】
【０００９】
本願請求項１記載の発明の給湯システムにおいては、加熱源が、貯湯タンクの頂部に貯留するための高温沸上用ヒートポンプと、貯湯タンクの中層部に貯留するための中温沸上用ヒートポンプとを有し、高温沸上用ヒートポンプと中温沸上用ヒートポンプは並列に配置されているので、中温水と高温水を同時に沸上げて、貯湯タンクへ送水することができる。このことによって、常に貯湯タンク内の高温湯と中温湯のバランスを保つことができる。さらに、湯切れを防止するための高温水沸上げを優先する必要がなく、中温沸上げと高温沸上げとを効率よく運転することができる。このことによって、運転効率を向上させることができ、消費電力を抑えることができる。
【００１０】
本願請求項２記載の発明の給湯システムにおいては、特に、中温沸上用ヒートポンプは高温沸上が可能であり、中温沸上用ヒートポンプの沸上の温度を変更する制御部を備えたので、高温沸上用ヒートポンプと共に中温沸上用ヒートポンプを高温沸上げ運転させることができる。このことによって、給湯システムの加熱能力を増加させることができる。さらに、突然の湯量不足が発生した場合に、中温沸上用ヒートポンプを高温沸上げ運転させることによって、湯切れを防止することができる。
【発明を実施するための最良の形態】
【００１１】
図１〜図１５は、本願発明の第１の実施形態である給湯システムを示している。図１に示すように、給湯システム１は、給水管５ａが底部に連結され、給水と加熱された湯とを貯留する貯湯タンク２と、貯湯タンク２の底部から送出された水を加熱する加熱源３と、加熱源３と貯湯タンク２を接続し、加熱された湯を貯湯タンク２の頂部又は中層部に送湯する送湯配管である配管５ｄ、５ｇと、貯湯タンク２の頂部から該頂部に貯留された高温湯を出湯する高温湯出湯配管である配管５ｌと、貯湯タンク２の中層部から該中層部に貯留された中温湯を出湯する中温湯出湯配管である配管５ｈとを備え、加熱源３は、貯湯タンク２の頂部に貯留するための高温沸上用ヒートポンプ３ａと、貯湯タンク２の中層部に貯留するための中温沸上用ヒートポンプ３ｂとを有し、高温沸上用ヒートポンプ３ａと中温沸上用ヒートポンプ３ｂは並列に配置されている。
【００１２】
以下、この実施形態の給湯システムをより具体的詳細に説明する。図１に示すように、給湯システム１は、給水と加熱された湯を貯湯する貯湯タンク２及び増設タンク２１ａ、２１ｂと、給水を加熱するヒートポンプである加熱源３と給湯システム１全体を制御する制御部４とを備えている。貯湯タンク２は、底部において給水管５ａと繋がり、給水を受けて水を貯留する。
【００１３】
加熱源３は高温沸上用ヒートポンプ３ａと中温沸上用ヒートポンプ３ｂとを有し、高温沸上用ヒートポンプ３ａは貯湯タンク２の底部と止水弁６ａ、配管５ｂ、切替弁６ｂ及び配管５ｃを介して繋がっており、内蔵する送湯ポンプ（図示せず）によって、貯湯タンク２の底部の水を吸引して加熱する。
【００１４】
高温沸上用ヒートポンプ３ａの湯取り出し口は、配管５ｄ、５ｅ、５ｆ及び止水弁６ｃを介して貯湯タンク２の頂部に繋がっている。さらに、止水弁６ｄ及び配管５ｉを介して増設タンク２１ａの頂部へ繋がっている。そして、増設タンク２１ａの底部と増設タンク２１ｂの頂部とは、配管５ｊを介して繋がっており、増設タンク２１ｂの底部は、配管５ｋ、切替弁６ｂ及び配管５ｃを介して加熱源３に繋がっている。
【００１５】
中温沸上用ヒートポンプ３ｂは貯湯タンク２の底部と止水弁６ａ、配管５ｂ、切替弁６ｂ及び配管５ｃを介して繋がっており、内蔵する送湯ポンプ（図示せず）によって、貯湯タンク２の底部の水を吸引して加熱する。そして、中温沸上用ヒートポンプ３ｂの湯取り出し口は、配管５ｇを介して貯湯タンク２の中層部に繋がっている。
【００１６】
このように、高温沸上用ヒートポンプ３ａと中温沸上用ヒートポンプ３ｂは、貯湯タンク２に対して並列に配置されている。
【００１７】
高温湯出湯配管である配管５ｌの他端は、高温出湯口に繋がると共に、途中において戻し配管５ｍと繋がっている。戻し配管５ｍは、配管中に送湯ポンプ７と止水弁６ｅとを有しており、配管５ｎを介して貯湯タンク２の中層部に繋がっている。貯湯タンク２の中層部には中温湯出湯配管である配管５ｈが接続されており、中温湯出湯配管である配管５ｈは切替弁６ｆに繋がっている。切替弁６ｆは、高温湯出湯配管である配管５ｌから分岐した配管５ｏとも繋がっており、貯湯タンク２の頂部からの高温湯と、中層部からの中温湯とを切り替えて混合弁６ｇに送湯する。混合弁６ｇは、切替弁６ｆからの配管５ｐと、給水管５ａから分岐した配管５ｑとに繋がっており、配管５ｐからの湯と配管５ｑからの給水とを混合して中温出湯口へ送湯する。
【００１８】
次に、上記のように構成された本実施形態に係る給湯システム１の動作について図面を参照して説明する。図２は、高温沸上用ヒートポンプ３ａを用いた貯湯タンク２の沸上げ動作を示す。制御部４は、止水弁６ａを開くと共に、切替弁６ｂを配管５ｂからの水流を配管５ｃへ送るように切り替え、貯湯タンク２の上側に配置されている止水弁６ｃを開く。さらに、高温沸上用ヒートポンプ３ａを運転させることによって、貯湯タンク２の底部より配管５ｂ及び配管５ｃによって高温沸上用ヒートポンプ３ａへ低温の湯が送られ、高温に沸上げしたのち、配管５ｄ、配管５ｅ及び配管５ｆを介して貯湯タンク２の頂部へ高温の湯が送られる（矢印Ａ、Ｂ、Ｃ）。また、貯湯タンク２の貯湯量が少ない場合には、給水管５ａより給水がされる（矢印Ｄ）。
【００１９】
次に、高温沸上用ヒートポンプ３ａを用いて増設タンク２１ａ及び２１ｂを沸上げる動作について図３を基に説明する。制御部４は、切替弁６ｂを配管５ｋからの水流を配管５ｃへ送るように切り替え、高温沸上用ヒートポンプ３ａと増設タンク２１ａを繋いでいる配管５ｉに配置されている止水弁６ｄを開く。さらに、高温沸上用ヒートポンプ３ａを運転させることによって、増設タンク２１ｂの底部より配管５ｋ及び配管５ｃによって高温沸上用ヒートポンプ３ａへ低温の湯が送られ、高温に沸上げしたのち、配管５ｄ、配管５ｅ及び配管５ｉを介して増設タンク２１ａの頂部へ高温の湯が送られる（矢印Ｅ、Ｆ、Ｇ）。さらに、増設タンク２１ａの底部より増設タンク２１ｂの頂部へ湯が送られる（矢印Ｈ）。
【００２０】
高温に沸上げた湯を貯湯タンク２と増設タンク２１ａ、２１ｂのいずれかに適宜切り替
えて送湯することにより、常に、中温湯の領域を中温湯出湯配管である配管５ｈを中層部に有する貯湯タンク２の中層部に確保することができるので、中温湯の出湯配管を増設タンク２１ａ、２１ｂに設ける必要がなくなる。
【００２１】
次に、中温沸上用ヒートポンプ３ｂを用いて貯湯タンク２を沸上げる動作について図４を基に説明する。制御部４は、止水弁６ａを開くと共に、切替弁６ｂを配管５ｂからの水流を配管５ｃへ送るように切り替える。さらに、中温沸上用ヒートポンプ３ｂを運転させることによって、貯湯タンク２の底部より配管５ｂ及び配管５ｃによって中温沸上用ヒートポンプ３ｂへ低温の湯が送られ、中温に沸上げしたのち、配管５ｇを介して貯湯タンク２の中層部へ中温の湯が送られる（矢印Ｉ、Ｊ、Ｋ）。また、貯湯タンク２の貯湯量が少ない場合には、給水管５ａより給水がされる（矢印Ｌ）。
【００２２】
さらに、高温湯及び中温湯ともに大量もしくは連続的に必要とされる場合には、高温沸上用ヒートポンプ３ａと中温沸上用ヒートポンプ３ｂとを同時に運転させて、貯湯タンク２へ適切な温度の湯を送ることができる。図５に示すように、制御部４は、止水弁６ａ、６ｃを開き、切替弁６ｂを配管５ｂからの水流を配管５ｃへ送るように切り替える。さらに、高温沸上用ヒートポンプ３ａ及び中温沸上用ヒートポンプ３ｂを運転させることによって、貯湯タンク２の頂部には高温湯が送られ、貯湯タンク２の中層部には中温湯が送られることになり、常に貯湯タンク２内の高温湯と中温湯のバランスを保つことができる（矢印ＭＭ、ＮＮ、ＯＯ、ＰＰ）。
【００２３】
また、高温沸上用ヒートポンプ３ａと中温沸上用ヒートポンプ３ｂが直列に配置されている場合には、沸上量はそれぞれのヒートポンプで按分されるが、本実施形態では、高温沸上用ヒートポンプ３ａと中温沸上用ヒートポンプ３ｂは並列に配置されているので、沸上量はそれぞれのヒートポンプの合算量が得られる。
【００２４】
次に、貯湯タンク２及び増設タンク２１ａによる出湯動作について図６及び図７を基に説明する。図６に示すように、貯湯タンク２の高温湯を出湯するときは、制御部４は、止水弁６ｃを開ける制御を行う。高温出湯口が開かれると、給水圧により、給水が給水管５から貯湯タンク２の底部に入り、貯湯タンク２の頂部の高温湯が、止水弁６ｃを介して高温湯出湯配管である配管５ｌを通り、高温出湯口へ送湯される（矢印Ｍ、Ｎ）。
【００２５】
また、増設タンク２１ａ、２１ｂの高温湯を出湯するときは、図７に示すように、制御部４は、止水弁６ｃを閉じると共に、止水弁６ａ、６ｄを開ける制御を行う。高温出湯口が開栓されると、給水圧により、給水が給水管５ａから貯湯タンク２の底部に入り、配管５ｂ、５ｋを通って増設タンク２１ｂの底部に入る。増設タンク２１ｂの頂部と増設タンク２１ａの底部が配管５ｊによって連結されているので、給水圧によって増設タンク２１ａの頂部の高温湯が配管５ｉを通り、止水弁６ｄを介して高温湯出湯配管である配管５ｌを通って高温出湯口へ送られる（矢印Ｏ、Ｐ、Ｑ）。
【００２６】
中温湯を出湯するときは、制御部４は、貯湯タンク２に中温湯がある場合には、切替弁６ｆを配管５ｈからの水流を配管５ｐへ送るように切り替える。また、制御部４は、止水弁６ｃ、６ｄを閉じて貯湯タンク２の頂部及び増設タンク２１ａからの出湯を止める。中温出湯口が開栓されると、給水圧により、給水が給水管５ａから貯湯タンク２の底部に入り、貯湯タンク２の中層部の中温湯が中温湯出湯配管である配管５ｈへ送られ、切替弁６ｆを介して混合弁６ｇへ送られる。制御部４は、中温湯出湯配管である配管５ｈからの中温湯と、給水管５ａから分岐した配管５ｑからの給水とを混合弁６ｇによって混合し、中温出湯口へ送湯する（矢印Ｒ、Ｓ、Ｔ、Ｕ）。
【００２７】
貯湯タンク２に中温湯がない場合には、貯湯タンク２又は増設タンク２１ａの高温湯と給水とを混合弁６ｇにおいて混合して出湯する。この場合、制御部４は、切替弁６ｆを配管５ｏ側に切り替えることによって、貯湯タンク２又は増設タンク２１ａより送られてくる高温湯を配管５ｏ、切替弁６ｆ及び配管５ｐを介して混合弁６ｇへ送ることができる。
【００２８】
次に、貯湯タンクによる即湯のための循環動作について図８を基に説明する。制御部４は、貯湯タンク２の湯を循環する場合は、止水弁６ｃを開くと共に、止水弁６ｅを開き、送湯ポンプ７を駆動する。貯湯タンク２の頂部の高温湯が止水弁６ｃを介して高温湯出湯配管である配管５ｌへ送られ、戻し配管５ｍ及び配管５ｎを通って貯湯タンク２の中層部へ送られる（矢印Ｖ、Ｗ、Ｘ）。
【００２９】
次に、増設タンクによる即湯のための循環動作について図９を基に説明する。制御部４は、増設タンク２１ａ及び２１ｂの湯を循環する場合は、止水弁６ａ、６ｄ、６ｅを開き、送湯ポンプ７を駆動する。増設タンク２１ａの頂部の高温湯が止水弁６ｄを介して高温湯出湯配管である配管５ｌへ送られ、戻し配管５ｍ及び配管５ｎを通って貯湯タンク２の中層部へ送られる。さらに、貯湯タンク２の底部より低温の湯が止水弁６ａ及び配管５ｋを介して増設タンク２１ｂの底部へ送られる。増設タンク２１ｂの頂部の高温湯は配管５ｊを介して増設２１ａの底部へ送られる（矢印ＡＡ、ＢＢ、ＣＣ、ＤＤ）。
【００３０】
図８及び図９で示したように、温度の低下した配管中の湯が貯湯タンク２に戻っても、一旦、貯湯タンク２に入るため、中温湯出湯配管である配管５ｈから直接に低温の湯が出湯されることがなくなり、即湯によって発生した中温湯を加熱して、効率良く出湯することができる。
【００３１】
次に、貯湯タンク２から増設タンク２１へ高温湯を移動させる動作について図１０を基に説明する。制御部４は、止水弁６ｃ、６ｄを開き、切替弁６ｂを配管５ｋからの水流を配管５ｃへ送るように切り替える。さらに、中温沸上用ヒートポンプ３ｂを運転させることによって、増設タンク２１ｂの底部より配管５ｋ及び配管５ｃによって中温沸上用ヒートポンプ３ｂへ低温の湯が送られ、中温に沸上げしたのち、貯湯タンク２の中層部へ送られる。また、給水圧によって貯湯タンク２の頂部の高温湯が止水弁６ｃ、６ｄを通り、増設タンク２１ａの頂部へ送られ、増設タンク２１ａの底部より増設タンク２１ｂの頂部へ湯が送られる（矢印ＥＥ、ＦＦ、ＧＧ、ＨＨ、ＩＩ）。このような動作によって、貯湯タンク２の高温湯を増設タンク２１ａへと移動させることができる。
【００３２】
次に、ヒートポンプの循環動作について、図１１に基づいて説明する。制御部４は、切替弁６ｂを配管５ｄ及び配管５ｇからの水流を配管５ｃへ送るように切り替える。さらに、高温沸上用ヒートポンプ３ａ及び中温沸上用ヒートポンプ３ｂを運転させる。このことによって、両ヒートポンプ内及び配管内の水又は湯が循環することとなり（矢印ＪＪ、ＫＫ、ＬＬ）、冬場のヒートポンプ内及び配管の凍結を防止する運転を行うことができ、また立ち上がり時にこの循環運転を行うことによって、湯温を安定させた後に貯湯タンク２へ送ることができる。
【００３３】
さらに、高温沸上用ヒートポンプ３ａ及び中温沸上用ヒートポンプ３ｂは、それぞれに送湯ポンプ（図示せず）を搭載しており、循環動作を個別に行うことができる。また、高温沸上用ヒートポンプ３ａ及び中温沸上用ヒートポンプ３ｂは、並列に配置されているので循環動作を個別に行うことができる。このことによって、不要な循環動作を行わない制御することができるので、運転効率を向上させることができ、消費電力を抑えることができる。
【００３４】
また、大量の出湯が必要な場合においては、出湯中にも沸上げ動作を行う必要がある。そこで、本実施形態の給湯システムは、図１２〜図１５に示すように、沸上げ動作と出湯動作を同時に行うことができる。図１２は、図２に基づいて説明した高温沸上用ヒートポンプ３ａを用いた貯湯タンク２の沸上げ動作と、図６に基づいて説明した貯湯タンク２による出湯動作とを同時に行っている動作を示している。また、図１３は、図４に基づいて説明した中温沸上用ヒートポンプ３ｂを用いて貯湯タンク２を沸上げる動作と、図６に基づいて説明した貯湯タンク２による出湯動作とを同時に行っている動作を示している。また、図１４は、図３に基づいて説明した高温沸上用ヒートポンプ３ａを用いた増設タンク２１ａ及び２１ｂの沸上げ動作と、図７に基づいて説明した増設タンク２１ａによる出湯動作とを同時に行っている動作を示している。また、図１５は、図４に基づいて説明した中温沸上用ヒートポンプ３ｂを用いた貯湯タンク２の沸上げ動作と、図７に基づいて説明した増設タンク２１ａによる出湯動作とを同時に行っている動作を示している。
【００３５】
したがって、本実施形態で示した給湯システム１は、加熱源３が、貯湯タンク２の頂部に貯留するための高温沸上用ヒートポンプ３ａと、貯湯タンク２の中層部に貯留するための中温沸上用ヒートポンプ３ｂとを有し、高温沸上用ヒートポンプ３ａと中温沸上用ヒートポンプ３ｂは並列に配置されているので、中温水と高温水を同時に沸上げて、貯湯タンク２へ送水することができる。このことによって、常に貯湯タンク２内の高温湯と中温湯のバランスを保つことができる。さらに、湯切れを防止するための高温水沸上げを優先する必要がなく、中温沸上げと高温沸上げとを効率よく運転することができる。このことによって、運転効率を向上させることができ、消費電力を抑えることができる。
【００３６】
さらに、中温沸上げ用ヒートポンプ３ｂを、中温沸上げを行う専用機とすることで、中温沸上げ用ヒートポンプ３ｂの加熱構造を簡素化することが可能となり、機器のコストダウンを図ることができる。
【００３７】
次に、本願発明の第２の実施形態である給湯システムを説明する。ここでは、上記第１の実施形態と相違する事項についてのみ説明し、その他の事項（構成、作用効果等）については、上記第１の実施形態と同様であるのでその説明を省略する。
【００３８】
給湯システム１において、中温沸上用ヒートポンプ３ｂは高温沸上が可能であり、中温沸上用ヒートポンプ３ｂの沸上の温度を変更する制御部４を備えている。制御部４は、突然の湯量不足の発生を検知した場合に、中温沸上用ヒートポンプ３ｂを高温沸上げ運転へ切り替える。給湯システム１は、高温沸上用ヒートポンプ３ａと中温沸上用ヒートポンプ３ｂとで高温湯を同時に沸上げて貯湯タンク２へ送ることができる。
【００３９】
したがって、本実施形態で示した給湯システム１において、中温沸上用ヒートポンプ３ｂは高温沸上が可能であり、中温沸上用ヒートポンプ３ｂの沸上の温度を変更する制御部４を備えたので、高温沸上用ヒートポンプ３ａと共に中温沸上用ヒートポンプ３ｂを高温沸上げ運転させることができる。このことによって、給湯システム１の加熱能力を増加させることができる。さらに、突然の湯量不足が発生した場合に、中温沸上用ヒートポンプ３ｂを高温沸上げ運転させることによって、湯切れを防止することができる。
【００４０】
なお、本発明は、上記各実施形態の構成に限らず、発明の趣旨を変更しない範囲で種々の変形が可能である。
【図面の簡単な説明】
【００４１】
【図１】本願発明の第１の実施形態である給湯システムの構成図である。
【図２】同給湯システムにおける貯湯タンクの沸上げ動作の説明図である。
【図３】同給湯システムにおける増設タンクの沸上げ動作の説明図である。
【図４】同給湯システムにおける中温沸上用ヒートポンプによる沸上げ動作の説明図である。
【図５】同給湯システムにおける高温沸上用ヒートポンプ及び中温沸上用ヒートポンプが同時に運転することによる沸上げ動作の説明図である。
【図６】同給湯システムにおける貯湯タンクによる出湯動作の説明図である。
【図７】同給湯システムにおける貯湯タンクの中温水及び増設タンクの高温水による出湯動作の説明図である。
【図８】同給湯システムにおける貯湯タンクによる即湯のための循環動作の説明図である。
【図９】同給湯システムにおける増設タンクによる即湯のための循環動作の説明図である。
【図１０】同給湯システムにおける湯移動動作の説明図である。
【図１１】同給湯システムにおけるヒートポンプの循環動作の説明図である。
【図１２】同給湯システムにおける貯湯タンクの高温沸上用ヒートポンプによる沸上げ動作及び貯湯タンクによる出湯動作の説明図である。
【図１３】同給湯システムにおける貯湯タンクの中温沸上用ヒートポンプによる沸上げ動作及び貯湯タンクによる出湯動作の説明図である。
【図１４】同給湯システムにおける増設タンクの高温沸上用ヒートポンプによる沸上げ動作及び増設タンクによる出湯動作の説明図である。
【図１５】同給湯システムにおける貯湯タンクの中温沸上用ヒートポンプによる沸上げ動作及び増設タンクによる出湯動作の説明図である。
【符号の説明】
【００４２】
１  給湯システム
２  貯湯タンク
３  加熱源
３ａ  高温沸上用ヒートポンプ
３ｂ  中温沸上用ヒートポンプ
４  制御部
５ｄ、５ｇ  送湯配管
５ｌ  高温湯出湯配管
５ｈ  中温湯出湯配管
【図１】
2009002585.tif 000003
【図２】
2009002585.tif 000004
【図３】
2009002585.tif 000005
【図４】
2009002585.tif 000006
【図５】
2009002585.tif 000007
【図６】
2009002585.tif 000008
【図７】
2009002585.tif 000009
【図８】
2009002585.tif 000010
【図９】
2009002585.tif 000011
【図１０】
2009002585.tif 000012
【図１１】
2009002585.tif 000013
【図１２】
2009002585.tif 000014
【図１３】
2009002585.tif 000015
【図１４】
2009002585.tif 000016
【図１５】
2009002585.tif 000017